(57)【要約】【課題】水平同期信号に対する垂直同期信号の位相がどの位相にあっても、ジッタ等の影響がなく位相の安定した垂直同期信号を出力することを目的とする。【解決手段】入力されたビデオ信号の水平同期信号に対する垂直同期信号の位相を検出する垂直同期信号位相検出手段１１と、この垂直同期信号位相検出手段１１により検出された前記垂直同期信号の位相を判別するために少なくとも２つ以上の判別パターンを発生する判別パターン発生手段１２、１３と、前記判別パターンを切り替える判別パターン切替手段１４と、前記垂直同期信号位相検出手段１１により検出された垂直同期信号位相について前記判別パターン切替手段１４からの判別パターンを用いて位相を判別する位相判別手段１７と、この位相判別手段１７での判別結果に応じて出力する垂直同期信号の開始位置を決定する垂直同期信号出力手段１８とを備えた。【選択図】図１
2005051678.tif 000002
【特許請求の範囲】
【請求項１】
入力されたビデオ信号の水平同期信号に対する垂直同期信号の位相を検出する垂直同期信号位相検出手段と、この垂直同期信号位相検出手段により検出された前記垂直同期信号の位相を判別するために少なくとも２つ以上の判別パターンを発生する判別パターン発生手段と、前記判別パターンを切り替える判別パターン切替手段と、前記垂直同期信号位相検出手段により検出された垂直同期信号位相について前記判別パターン切替手段からの判別パターンを用いて位相を判別する位相判別手段と、この位相判別手段での判別結果に応じて出力する垂直同期信号の開始位置を決定する垂直同期信号出力手段とを備えたことを特徴とする同期信号処理回路。
【請求項２】
判別パターン切替手段は、選択された判別パターンに対して、垂直同期信号の位相が判別パターンの判別領域に対する境界にあることを検出して判別パターンを切り替えるように構成したことを特徴とする請求項１に記載の同期信号処理回路。
【請求項３】
判別パターン発生手段は、水平同期信号の１周期を位相に対して複数の領域に分割した判別パターンを発生させるものであり、位相判別手段は、垂直同期信号位相検出手段によって検出された位相が前記判別パターンに対してどの領域に属するのかを判別するものであることを特徴とする請求項１に記載の同期信号処理回路。
【請求項４】
判別パターン発生手段は、分割された領域として水平同期信号の１／２周期の幅を持つ２つの領域から構成され、互いに分割の位相が異なる判別パターンを発生するものであることを特徴とする請求項３に記載の同期信号処理回路。
【発明の詳細な説明】
【技術分野】
【０００１】
本発明は、プラズマディスプレイ等のデジタル表示装置における同期信号処理回路に関するものである。
【背景技術】
【０００２】
近年、プラズマディスプレイ等のデジタル表示デバイスを用いた装置が注目されており、高精細化やマルチスキャン等、様々な水平周波数、垂直周波数の映像信号を受像できるようにすることが進められている。
【０００３】
このような装置での同期信号処理は、垂直同期信号を基準にして水平同期信号をカウントすることで映像やオンスクリーン表示（ＯＳＤ）の位置を決めており、水平同期信号と垂直同期信号の位相に対しては常に一定の位相関係にしておき、水平同期信号の取りこぼし等によるカウントエラーを起こさないようにする必要がある。
【０００４】
公知の文献はないが、図４は従来の同期処理回路のブロック図を示したものである。図４において、垂直同期信号位相検出手段１により水平同期信号の前縁と垂直同期信号の前縁との位相を検出し、検出結果が位相判別手段２に入力される。判別パターン発生手段３では、図５のように水平同期信号の１周期について、位相に対して領域を分割した判別パターンを発生させる。領域の分割については、水平同期信号の前縁を基準に、１／４周期の位置と３／４周期の位置で分割を行う。これは入力信号がインターレス方式の場合におけるフィールド判別で用いる領域分割と同様である。位相判別手段２では、前記判別パターン発生手段３で発生させた判別パターンに対し、前記検出された位相が領域のどこに属するかを判別する。
【０００５】
垂直同期信号出力手段４は、前記分割された領域に対応して垂直同期の位相を切り替えて出力する。図５で(1)の領域と判別された場合には、次の水平同期信号Ｂの前縁と同位相で、また（2)の領域と判別された場合には、次の水平同期信号Ｂの前縁より１／２周期後の位相で、垂直同期信号を出力する。インターレス信号の場合にはフィールド毎に交番して領域が変わるため、垂直同期信号出力はこれに対応してフィールド毎に１／２周期、位相が変化して出力される（例えば特許文献１参照）。
【０００６】
しかし、このような同期信号処理回路においては、入力されたビデオ信号に対応する垂直同期信号の位相が位相判別手段２で設けた領域の境界付近にあった場合には、垂直同期信号のジッタ等により、判別結果が(1)と(2)のどちらの領域にもなることで垂直同期出力の位相が不安定となり、前記水平同期信号のカウントエラーによる映像の垂直揺れ等、後段の回路を誤動作させてしまうという課題があった。
【特許文献１】特開平１０−３０７５６２号公報
【発明の開示】
【発明が解決しようとする課題】
【０００７】
本発明はこのような課題を解決し、垂直同期信号の位相がどの位相にあっても、ジッタ等の影響がなく位相の安定した垂直同期信号を出力できるようにすることを目的とするものである。
【課題を解決するための手段】
【０００８】
上記目的を達成するために本発明の同期信号処理回路は、入力されたビデオ信号の水平同期信号に対する垂直同期信号の位相を検出する垂直同期信号位相検出手段と、この垂直同期信号位相検出手段により検出された前記垂直同期信号の位相を判別するために少なくとも２つ以上の判別パターンを発生する判別パターン発生手段と、前記判別パターンを切り替える判別パターン切替手段と、前記垂直同期信号位相検出手段により検出された垂直同期信号位相について前記判別パターン切替手段からの判別パターンを用いて位相を判別する位相判別手段と、この位相判別手段での判別結果に応じて出力する垂直同期信号の開始位置を決定する垂直同期信号出力手段とを備えたものである。
【発明の効果】
【０００９】
本発明によれば、水平同期信号に対する垂直同期信号の位相を検出する判別パターンを２つ以上持ち、また判別パターンの切り替えを判別パターン境界の検出に基づいて行い、判別パターンによって判別した位相に対応して垂直同期信号を出力することにより、垂直同期信号の位相およびジッタに対して、常に安定した位相の垂直同期信号を発生させるという効果が得られる。
【発明を実施するための最良の形態】
【００１０】
本発明の請求項１に記載の発明は、入力されたビデオ信号の水平同期信号に対する垂直同期信号の位相を検出する垂直同期信号位相検出手段と、この垂直同期信号位相検出手段により検出された前記垂直同期信号の位相を判別するために少なくとも２つ以上の判別パターンを発生する判別パターン発生手段と、前記判別パターンを切り替える判別パターン切替手段と、前記垂直同期信号位相検出手段により検出された垂直同期信号位相について前記判別パターン切替手段からの判別パターンを用いて位相を判別する位相判別手段と、この位相判別手段での判別結果に応じて出力する垂直同期信号の開始位置を決定する垂直同期信号出力手段とを備えたものである。
【００１１】
また、請求項２に記載の発明は、請求項１において、判別パターン切替手段は、選択された判別パターンに対して、垂直同期信号の位相が判別パターンの判別領域に対する境界にあることを検出して判別パターンを切り替えるように構成したものである。請求項３に記載の発明は、請求項１において、判別パターン発生手段は、水平同期信号の１周期を位相に対して複数の領域に分割した判別パターンを発生させるものであり、位相判別手段は、垂直同期信号位相検出手段によって検出された位相が前記判別パターンに対してどの領域に属するのかを判別するものであることを特徴とする。さらに、請求項４に記載の発明は、請求項３において、判別パターン発生手段は、分割された領域として水平同期信号の１／２周期の幅を持つ２つの領域から構成され、互いに分割の位相が異なる判別パターンを発生するものであることを特徴とする。
【００１２】
以下、本発明の一実施の形態による同期信号処理回路について、図１〜図３を用いて説明する。
【００１３】
図１に本発明の一実施の形態による同期信号処理回路のブロック図を示し、図２に図１の垂直同期信号出力手段における位相判別の一例を示している。また、図３に図１の判別パターン切替手段における垂直同期信号の位相に対する判別の境界検出の一例を示している。
【００１４】
図１において、垂直同期信号位相検出手段１１は、入力されたビデオ信号に対応する水平同期信号および垂直同期信号に基づいて、入力されたビデオ信号の水平同期信号に対する垂直同期信号の位相を検出する。判別パターン発生手段１２、１３は、前記垂直同期信号位相検出手段１１により検出された前記垂直同期信号の位相を判別するための判別パターンを出力するもので、少なくとも２つ以上（図示のものは２つ）設けられる。判別パターン切替手段１４は、前記判別パターン発生手段１２、１３から出力される判別パターンを切り替えるもので、この判別パターン切替手段１４は判別パターン領域境界検出手段１５と判別パターン切替部１６により構成されている。
【００１５】
位相判別手段１７は、前記垂直同期信号位相検出手段１１により検出された垂直同期信号位相について前記判別パターン切替手段１４からの判別パターンを用いて位相を判別する。垂直同期信号出力手段１８は、位相判別手段１７での判別結果に応じて、出力する垂直同期信号の開始位置を決定する。
【００１６】
また、前記位相判別手段１７で判別される領域について、図２のように領域を分割する位相に対して、異なる位相で領域分割した判別パターンを２つ以上設ける。各判別パターンは、共に１／２周期幅の領域に２分割されたものであり、互いに分割される位相が異なる。位相判別手段１７では前記判別パターンの１つを用いて位相判別を行う。各判別パターン間の分割位相の差は、垂直同期信号のジッタや温度による変動等による位相変化の量から決定した値となる。
【００１７】
また、前記判別パターン切替手段１４は、境界付近を判別するための判別パターン領域境界検出手段１５を有しており、現在選択されている判別パターンに対し、その境界判別用の信号を発生させ、垂直同期信号の位相が判別領域の境界付近にある場合、判別パターンを切り替えることで、位相を境界から離し、ジッタ等による誤判別を防止する。図３に境界判別用信号の一例を示しており、前記判別パターンの境界前後に一定の時間幅を設け、その範囲内に垂直同期信号がある場合に、判別パターン(1)から判別パターン(2)に判別パターンを切り替える。境界前後の時間幅は、前記各判別パターン間の位相差と同様に、垂直同期信号のジッタや温度による変動等による位相変化の量から決定した値となる。通常、時間幅は判別パターン間の境界位相差の１／２未満である。
【００１８】
このような同期信号処理回路においては、判別パターン発生手段１２、１３で発生する判別パターンを判別パターン切替手段１４により切り替え、しかも判別パターン境界の検出に基づいて判別パターンの切り替えを行い、判別パターンによって判別した位相に対応して垂直同期信号を出力することにより、垂直同期信号の位相およびジッタに対して、常に安定した位相の垂直同期信号を発生させることができる。
【産業上の利用可能性】
【００１９】
以上のような同期信号処理回路をプラズマディスプレイ装置に具備させることにより、垂直同期信号の位相およびジッタに対して、常に安定した位相の垂直同期信号を発生させることができ、様々な水平周波数、垂直周波数の映像信号を受像できる。
【図面の簡単な説明】
【００２０】
【図１】本発明の一実施の形態による同期信号処理回路のブロック図
【図２】図１の同期信号処理回路における位相判別の一例を示す波形図
【図３】図１の同期信号処理回路における判別パターン領域境界検出の一例を示す波形図
【図４】従来の同期信号処理回路のブロック図
【図５】図４の同期信号処理回路における位相判別の一例を示す波形図
【符号の説明】
【００２１】
１１  垂直同期信号位相検出手段
１２、１３  判別パターン発生手段
１４  判別パターン切替手段
１５  判別パターン領域境界検出手段
１６  判別パターン切替部
１７  位相判別手段
１８  垂直同期信号出力手段
【図１】
2005051678.tif 000003
【図２】
2005051678.tif 000004
【図３】
2005051678.tif 000005
【図４】
2005051678.tif 000006
【図５】
2005051678.tif 000007